(57)【特許請求の範囲】
【請求項１】
ランプ電極を含むランプ、
前記ランプ電極を支持しているランプソケット、
前記ランプに電力を供給するインバータ、並びに、
前記ランプソケットと前記インバータとを収めている収納容器、
を有するバックライトアセンブリであり、
前記収納容器は、
前記ランプの端部に対向する位置で前記ランプソケットを直に支持しているソケット挿入部、及び、
前記インバータを収納しているインバータ収納部、
を含み、
前記インバータ収納部は前記ソケット挿入部の下部に配置され、
前記収納容器は、底面、及び前記底面の一辺に沿って延びている第１側壁を含み、
前記ソケット挿入部は、前記第１側壁の上端に形成され、
前記インバータ収納部は、前記第１側壁を隔てて前記ソケット挿入部とは反対側に形成されていることを特徴とする、バックライトアセンブリ。
【請求項２】
前記第１側壁の上端に形成され、かつ内部に前記ランプソケットが挿入されている窪みを前記ソケット挿入部は含み、
前記窪みは、前記ランプソケットの表面に接する内面に、前記窪みの深さ方向に延びている段差部を含み、
前記ランプソケットは前記段差部に沿って滑るように前記ソケット挿入部に挿入されている、
請求項１に記載のバックライトアセンブリ。
【請求項３】
前記段差部はフック部を含む、請求項２に記載のバックライトアセンブリ。
【請求項４】
前記収納容器は、前記第１側壁の上端から前記底面に対して垂直方向に突出している分離バーを含み、
前記ソケット挿入部と前記インバータ収納部との間は前記分離バーによって分離されている、
請求項１に記載のバックライトアセンブリ。
【請求項５】
前記第１側壁の上端は、前記ソケット挿入部と前記インバータ収納部との間で前記第１側壁に沿って前記底面に対して水平方向に張り出している隔壁を含む、請求項１に記載のバックライトアセンブリ。
【請求項６】
前記収納容器の底面には、前記インバータから放出される熱を前記インバータ収納部から外部に逃がすための穴が形成されている、請求項１に記載のバックライトアセンブリ。
【請求項７】
前記インバータ収納部はネジ固定部を含み、前記インバータは前記ネジ固定部で前記インバータ収納部に固定され、前記収納容器は前記ネジ固定部で外部に固定されている、請求項１に記載のバックライトアセンブリ。
【請求項８】
前記収納容器は、前記第１側壁が延びている前記底面の一辺と前記底面を隔てて対向する前記底面の別の辺に沿って延びている第２側壁を更に含み、
前記ネジ固定部は前記第２側壁の両端に形成されている、
請求項７に記載のバックライトアセンブリ。
【請求項９】
前記収納容器は、前記底面の辺に沿って延びている前記第１側壁とは別の第３側壁を更に含み、
前記第３側壁には、前記インバータから放出される熱を前記インバータ収納部から外部に逃がすための窓が形成されている、
請求項１に記載のバックライトアセンブリ。
【請求項１０】
前記ランプソケットは、
前記ランプに連結されているランプ連結部、
側面に形成された穴、及び、
前記穴の中に設置され、前記ランプ連結部を前記インバータに接続するための電源接続用端子、
を含み、
前記インバータは、
基板、及び、
前記基板から外側に突出して前記ランプソケットの穴に挿入され、前記電源接続用端子に接続されているパッド、
を含む、請求項１に記載のバックライトアセンブリ。
【請求項１１】
画像を表示する液晶パネル、及び、
前記液晶パネルの背面を照らし、請求項１〜１０のいずれかに記載のバックライトアセンブリ、
を有する液晶表示装置。
【発明の詳細な説明】
【技術分野】
【０００１】
本発明は液晶表示装置に関し、特にそのバックライトアセンブリに関する。
【背景技術】
【０００２】
液晶表示装置は、液晶の電気光学効果を利用して画素ごとに透過光又は反射光を変調することにより、所望の画像を画面に表示する。
【０００３】
液晶表示装置は一般に、液晶による光変調を制御する液晶制御ユニットに加え、液晶に光を当てる光源ユニットを含む。液晶制御ユニットは液晶表示パネルを含み、光源ユニットはバックライトアセンブリを含む。一般にバックライトアセンブリはランプの設置場所によってエッジ型と直下型とに大別される。エッジ型バックライトアセンブリでは、液晶表示パネルの背後に導光板が設置され、その導光板の側面に沿ってランプが設置されている。ランプの光は導光板を通じて液晶表示パネルの背面全体に一様に照射される。直下型バックライトアセンブリでは、液晶表示パネルの背後に拡散板が設置され、更にその拡散板の背後にランプが設置されている。ランプの光は拡散板によって拡散され、液晶表示パネルの背面全体に一様に照射される。
【０００４】
バックライトアセンブリでは一般に、ランプを収納容器に固定するためにランプソケットが使用されている。特に直下型バックライトアセンブリでは、液晶表示パネルの全面を一様に照らすには、多数のランプを一定のパターンで精度良く、かつ安定に配列しなければならない。従って、従来の直下型バックライトアセンブリでは、各ランプに連結されるべきランプソケットが収納容器とは別の整列板に一旦固定され、その後、その整列板ごと、収納容器に固定されている。ランプソケットは特に、収納容器に形成された挿入口を通して収納容器の内部に収められている。
【発明の開示】
【発明が解決しようとする課題】
【０００５】
従来のバックライトアセンブリでは収納容器へのランプソケットの固定に整列板が利用されているので、液晶表示装置の組立工程を更に簡単化することが困難である。又、ランプソケット用と整列板用とで別の金型が必要であるので、製造コストを更に削減することが困難である。その上、ランプソケットと整列板との隙間に異物が入りやすいので、ランプソケットの位置決め精度を更に向上させることが困難である。その他に、液晶表示装置の種類によってランプソケットの配置は異なるので、液晶表示装置の種類ごとに異なる整列板を製作しなければならない。それにより、製造コストの更なる削減、及び製造時間の更なる短縮がいずれも困難である。
【０００６】
本発明の目的は、整列板を用いることなくランプソケットを収納容器に精度良く固定可能にすることで、部品数の更なる削減、及び製造工程の更なる簡単化と自動化を実現可能にするバックライトユニットを提供することにある。
【課題を解決するための手段】
【０００７】
本発明によるバックライトアセンブリは、ランプ電極を含むランプ、ランプ電極を支持しているランプソケット、ランプに電力を供給するインバータ、及び、ランプソケットとインバータとを収めている収納容器を含む。収納容器は好ましくは、ランプの端部に対向する位置でランプソケットを直に支持しているソケット挿入部、及びインバータを収納しているインバータ収納部を含む。ソケット挿入部は好ましくは、収納容器の底面の一辺、更に好ましくはその底面の長辺に沿って延びている収納容器の第１側壁の上端に形成されている。ソケット挿入部は更に好ましくは、第１側壁の上端に形成された窪みを含む。その窪みの内部にはランプソケットが挿入されている。その窪みは好ましくは、ランプソケットの表面に接する内面に、深さ方向に延びている段差部を含む。ランプソケットはその段差部に沿って滑るようにソケット挿入部に挿入されている。一方、インバータ収納部は好ましくは、第１側壁を隔ててソケット挿入部とは反対側に形成されている。
【０００８】
収納容器は好ましくは、第１側壁の上端から底面に対して垂直方向に突出している分離バーを含む。ソケット挿入部とインバータ収納部との間は好ましくは分離バーによって分離されている。その他に、第１側壁の上端が、ソケット挿入部とインバータ収納部との間で第１側壁に沿って底面に対して水平方向に張り出している隔壁を含んでいても良い。その隔壁によってソケット挿入部とインバータ収納部との間をつなぐ空間が狭められていても良い。
【発明の効果】
【０００９】
本発明によるバックライトアセンブリでは従来のものとは異なり、ランプソケットが整列板を用いることなく、収納容器に直に、かつ安定に固定されている。特に、ランプソケットの取付工程の自動化が可能であるので、バックライトアセンブリの組立工程が更に簡単になり、工程時間を更に短縮できる。その結果、液晶表示パネルの製造コストを更に削減できる。
【発明を実施するための最良の形態】
【００１０】
以下、本発明の好ましい実施例について、図面を参照しながら詳細に説明する。
図１は、本発明の実施例による液晶表示装置の分解斜視図である。図１に示されているように、この液晶表示装置10は、液晶パネルアセンブリ120、バックライトアセンブリ、トップシャーシ11、ミドルモールド110、及びボトムシャーシ150を含む。
【００１１】
液晶パネルアセンブリ120は好ましくは、液晶パネル126、ゲートテープキャリアパッケージ（ＴＣＰ）121、データＴＣＰ122、及び印刷回路基板125を含む。
【００１２】
液晶パネル126は好ましくは、薄膜トランジスタ表示パネル123、共通電極表示パネル124、及び液晶層を含む。２枚の表示パネル123、124は好ましくはいずれもほぼ同じサイズの長方形の板であり、液晶層を間に挟んで貼り合わされている。好ましくは薄膜トランジスタ表示パネル123が液晶パネル126の背面側に配置されている。薄膜トランジスタ表示パネル123には複数の画素がマトリクス状に配列され、それらの間を複数のゲートラインとデータラインとが縦横に延びている。各画素には薄膜トランジスタと画素電極とが好ましくは一つずつ形成されている。薄膜トランジスタはいずれかのゲートラインから伝達されるゲート信号に応じてオンオフし、所定のタイミングでいずれかのデータラインから同じ画素の画素電極にデータ電圧を伝達する。共通電極表示パネル124の表面全体は共通電極で覆われ、更に各画素の境界部分はブラックマトリックスで遮光されている。画素電極と共通電極とはいずれも透明であるので、薄膜トランジスタ表示パネル123の背面から入射する光は各画素を透過して共通電極表示パネル124の前面から出射される。
【００１３】
好ましくは薄膜トランジスタ表示パネル123は共通電極表示パネル124より広いので、薄膜トランジスタ表示パネル123の一つの長辺と一つの短辺とのそれぞれに沿った端部が共通電極表示パネル124の外側にはみ出している。そのはみ出ている部分の短辺側には複数のゲートＴＣＰ121が所定の間隔で接着され、長辺側には複数のデータＴＣＰ122の一端が所定の間隔で接着されている。各ゲートＴＣＰ121は所定数のゲートラインに接続され、各データＴＣＰ122は所定数のデータラインに接続されている。各データＴＣＰ122の他端は印刷回路基板125に接着されている。印刷回路基板125の上には液晶パネルの駆動回路が実装され、データＴＣＰ122、薄膜トランジスタ表示パネル123の上の配線、及びゲートＴＣＰ121を通してゲートラインやデータラインに接続されている。駆動回路はゲートＴＣＰ121にはゲート駆動信号を出力し、データＴＣＰ122にはデータ駆動信号を出力する。各ゲートＴＣＰ121はゲート駆動信号に応じて各ゲートラインに対して順番にゲート信号を印加する。各データＴＣＰ122はデータ駆動信号に応じて各データラインに対してデータ電圧を印加する。ゲートＴＣＰ121は好ましくは、薄膜トランジスタ表示パネル123の短辺に沿って折り曲げられ、薄膜トランジスタ表示パネル123の側面又は背面に配置される。データＴＣＰ122は好ましくは薄膜トランジスタ表示パネル123の長辺に沿って折り曲げられ、それにより印刷回路基板125が薄膜トランジスタ表示パネル123の側面又は背面に配置される。
【００１４】
バックライトアセンブリは好ましくは直下型であり、液晶パネル126の背後（図１では下側）に設置されている。バックライトアセンブリは好ましくは、光学シート131、拡散板132、ランプ133、反射シート134、及び収納容器100を含む。
【００１５】
ランプ133は好ましくは棒状の光源であり、更に好ましくはＣＣＦＬ又はＥＥＦＬである。ランプ133はその他に、複数のＬＥＤが棒状に配列されたものであっても良い。各ランプ133は、両端に設けられたランプ電極133aと、その間に延びているランプ管133bとで構成されている。各ランプ133では、外部の電源から両端のランプ電極133aに対して所定の駆動電圧が印加されると、ランプ管133bが光を発生させる。好ましくは、複数のランプ133が液晶パネル126の短辺方向に等間隔で配列され、液晶パネル126の長辺方向に沿って平行に延びている。
【００１６】
図１に示されているように、収納容器100は好ましくは２つの相似な部材から成り、それぞれが各ランプ133の同じ側の端部を支持している。各収納容器100は好ましくはランプ133と同数のランプソケットと、各ランプ133の同じ側のランプ電極133aに接続されたインバータとを含む。収納容器100の詳細については後述する。
【００１７】
反射シート134は好ましくは長方形状であり、各ランプ133と収納容器100との間に配置され、各短辺部が収納容器100によって支持されている。反射シート134は好ましくは反射率の高い物質で構成され、各ランプ133から後方（図１では下方）に放出される光を液晶パネル126の背面に向けて（図１では上方に）反射する。それにより、ランプ133の光損失が最小化される。
【００１８】
拡散板132は好ましくは長方形状であり、各ランプ133の前方（図１では上方）に各ランプ133から一定の距離を隔てて配置されている。拡散板132は、各ランプ133から背面に入射される光を拡散させ、前面全体から一様な強度で前方に出射する。
【００１９】
光学シート131は拡散板132の前方（図１では上方）に配置され、好ましくは、拡散シート、第１プリズムシート、及び第２プリズムシートを含む。それらのシートは好ましくは同じサイズの長方形状である。拡散シートは拡散板132の前面に最も近く、拡散板132の前面から出射されるランプ133の光を更に拡散させ、全面で光の強度を更に均一化させる。第１プリズムシートは拡散シートの前面（図１では上面）に配置されている。第１プリズムシートの表面には好ましくは三角柱状のプリズムパターンが配列されている。各プリズムパターンは拡散シートによって様々な方向に拡散された光を液晶パネル126の背面に向けて集めて出射する。第２プリズムシートは第１プリズムシートの前面（図１では上面）に配置されている。第２プリズムシートの表面には好ましくは、第１プリズムシートのプリズムパターンより更に細かいプリズムパターンが配列され、第１プリズムシートから出射された光の方向を更に精度良く液晶パネル126の背面に向けて集めて出射する。それにより、バックライトアセンブリの正面輝度が向上する。但し尚、第１プリズムシートのみでも液晶パネル126の輝度を十分に高くでき、かつその視野角を十分に広くできる場合、第２プリズムシートは省略されても良い。
【００２０】
ボトムシャーシ150は好ましくは高さの低い直方体の箱であり、その上面が開放されている。ボトムシャーシ150の内部ではその底面から近い順に、バックライトアセンブリ、ミドルモールド110、及び液晶パネルアセンブリ120が積層されている。トップシャーシ11は好ましくは長方形状のフレームであり、液晶パネルアセンブリ120の各辺を前（図１では上）から抑えた状態でボトムシャーシ150の側壁に結合し、液晶表示パネルアセンブリ120をミドルモールド110の前部（図１では上部）に固定している。トップシャーシ11の開口部からは液晶パネル126の画素マトリクスが露出している。ミドルモールド110は好ましくは長方形状のフレームであり、液晶パネルアセンブリ120の背面の周縁部を支持した状態でボトムシャーシ150の側壁に締結されている。それにより、バックライトアセンブリの周縁部がミドルモールド110とボトムシャーシ150との間に固定されている。バックライトアセンブリの光はミドルモールド110の開口部を通して液晶パネル126の背面全体に照射される。
【００２１】
図１に示されている２つの収納容器100の一方の斜視図を図２及び図５に示す。図２は上面側から見たときの図であり、図５は底面側から見たときの図である。図２に示されているように、収納容器100の上面にはインバータ50と複数のランプソケット20とが収められている。図３にランプソケット20の正面図を示し、図４にその斜視図を示す。図４にはそのランプソケット20に結合されるインバータ50の部分を拡大した図も示している。
【００２２】
インバータ50は好ましくは図２に示されているように、細長い長方形状の印刷回路基板に実装されている。更に好ましくは図４に示されているように、インバータ50の一つの長辺には複数のパッド51が設けられている。パッド51は好ましくは、同じ収納容器100に収められているランプソケット20と同数である。インバータ50が収納容器100に収められたとき、パッド51はランプソケット20に一つずつ接触するように配置されている。
【００２３】
ランプソケット20は好ましくはランプ133ごとに一つずつ設けられている。図３に示されているように、ランプソケット20は好ましくは角柱状の筒である。その筒の一つの側面の上部には丸い切り欠き23が設けられている。この切り欠き23にランプ133のランプ管133bの端部が挿入されて支持される。その切り欠き23に対向する別の側面にはランプ連結部21が設けられている。ランプ連結部21は好ましくは細長い板状の電極を含む。その電極は折り曲げられ、特に両端部が内側にまで湾曲してそれらの外面が互いに接触している。切り欠き23にランプ133のランプ管133bが支持されるとき、そのランプ133のランプ電極133aのリード線がランプ連結部21の電極、特にその両端部の外面が互いに接触している部分21aの間に挟まれて固定される。切り欠き23が設けられているランプソケット20の側面の下部には穴22が開けられ、その中に電源接続用端子が設けられている。ランプソケット20が収納容器100に固定されたとき、図４に示されているように、インバータ50のパッド51がその穴22に挿入され、内部の電源接続用端子に接続される。それにより、ランプ連結部21がインバータ50に接続される。
【００２４】
インバータ50とランプソケット20とをいずれも除去したときの収納容器100の斜視図を図６に示す。図７は、図６に示されている二点鎖線で囲まれた部分Ａの拡大図である。
図６に示されているように、収納容器100は好ましくは実質的に細長い直方体の箱であり、その上面が開放されている。収納容器100は更に好ましくは底面45と４つの側壁47b、47c、43とを含む。第１側壁47bは底面45の一つの長辺に沿って延びている。好ましくは第１側壁47bの上端47aは底面45と平行に拡がっている。その上端47aには、好ましくは収納容器100に固定されるべきランプソケット20と同数のソケット挿入部30が、第１側壁47bに沿って等間隔に形成されている。第２側壁47cは底面45のもう一つの長辺に沿って延び、第１側壁47bに対向している。他の２つの側壁43はそれぞれ、底面45の短辺に沿って延びている。底面45と４つの側壁47b、47c、43とで囲まれた部分がインバータ収納部を形成している。
【００２５】
図６及び図７に示されているように、各ソケット挿入部30は第１側壁47bの上端47aに形成された窪みである。その窪みでは第１側壁47bの延長部分、すなわちインバータ収納部に近い側面が除去され、そこから内部が露出している。各ソケット挿入部30には一つのランプソケット20の下部が挿入される。図８に、ソケット挿入部30にランプソケット20を挿入したときの収納容器100の斜視図を示す。図９は、図８に示されている二点鎖線で囲まれた部分Ｂの拡大図である。図８及び図９に示されているように、各ソケット挿入部30では、切り欠き23と電源接続用の穴22とを含むランプソケット20の側面がインバータ収納部に向けられている。
【００２６】
好ましくは図７に示されているように、各ソケット挿入部30の内面には段差部31が設けられている。段差部31は好ましくは垂直方向、すなわちソケット挿入部30の深さ方向に延びている溝である。段差部31に沿ってランプソケット20を垂直方向に滑らせることにより、ランプソケット20をソケット挿入部30の中に容易に挿入できる。更に、ランプソケット20とソケット挿入部30との間を隙間なく直に密着できるので、ランプソケット20を収納容器100に安定に固定できる。
【００２７】
図６及び図７には示されていないが、ソケット挿入部30の内面にはフック部、すなわちフック形状の突起が備えられていても良い。ランプソケット20がソケット挿入部30に挿入されたとき、フック部がランプソケット20の側面に係合する。それにより、ランプソケット20がソケット挿入部30から抜けることなく安定に固定される。
【００２８】
図２に示されているように、インバータ収納部ではインバータ50の印刷回路基板が、底面45と４つの側壁47b、47c、43とで囲まれた空間の上部を覆っている。好ましくは図５に示されているように、その印刷回路基板の表面は底面45に対向するように固定され、トランス等、印刷回路基板に外付けされているインバータ50の回路素子51はインバータ収納部の空間内に収められている。好ましくは、第２側壁47cには３つのネジ固定部41a、41b、41cが形成されている。収納容器100はそれらのネジ固定部41a、41b、41cでボトムシャーシ150にネジ止めされている。更に好ましくは、図２及び図５に示されているように、第２側壁47cの両端のネジ固定部41a、41bではインバータ50の印刷回路基板が収納容器100にネジで固定される。
【００２９】
収納容器100へのランプソケット20とインバータ50との取付工程では、好ましくは、まず、図６及び図７に示されているソケット挿入部30の段差部31に沿ってランプソケット20を滑らせながら、図８及び図９に示されているようにソケット挿入部30にランプソケット20を挿入する。次に、インバータ50の印刷回路基板を裏返してインバータ収納部の上に被せ、その印刷回路基板を第１側壁47b以外の３つの側壁47c、43の上端に沿って滑らせることで、図４に示されているように、インバータ50の各パッド51を各ランプソケット20の電源接続用の穴22に挿入する。最後に、インバータ50の印刷回路基板を第２側壁47cの両端のネジ固定部41a、41bにネジで固定する。以上の工程は従来の整列板を利用した工程より簡単であり、特に自動化が容易である。
【００３０】
図５〜９に示されているように、インバータ収納部では好ましくは、底面45には複数の穴45aが所定の間隔で開けられ、底面45の短辺に沿って延びている２つの側壁43には窓43aが一つずつ開けられている。それらの穴45aと窓43aとを通し、インバータ50、特にその表面に実装されたトランス等の回路素子から放出される熱がインバータ収納部の空間から収納容器100の外に速やかに逃げる。尚、底面45の穴45aの間隔は好ましくは一定である。その他に、特に発熱量の多いインバータ50の部分に面する範囲では、穴45aの間隔が狭められていても良い。
【００３１】
図２に示されているように、各ソケット挿入部30と収納容器100の他の部分との間には好ましくは分離バー32が設けられている。分離バー32は好ましくは、第１側壁47bの上端47aの周囲全体から底面45に対して垂直方向に突出した壁であり、各ソケット挿入部30の内部の空間を収納容器100の他の部分の表面付近の空間から分離している。図２に示されているように収納容器100にランプソケット20とインバータ50とが収められているとき、分離バー32により、各ランプソケット20、特にその内部のランプ連結部21に連結されたランプ133のリード線の付近の空間がインバータ50の付近の空間から分離される。従って、ランプ133のリード線とインバータ50との間ではアーク放電による短絡が防止される。
【００３２】
図２に示されている分離バー32に代え、又は分離バー32に加え、図７に示されているような隔壁33が形成されていても良い。隔壁33は、第１側壁47bの上端部分から第１側壁47bに沿って底面45に対して水平方向に張り出し、インバータ収納部に面した各ソケット挿入部30の開口部を狭めている。図９に示されているように、収納容器100にランプソケット20が収められているとき、隔壁33により、各ランプソケット20の穴22の中に設置された電源接続用端子の付近の空間が、インバータ収納部の内部の空間から分離される。従って、電源接続用端子とインバータ50との間ではアーク放電による短絡が防止される。
【００３３】
上記のように、本発明の実施例によるバックライトアセンブリでは従来のものとは異なり、ランプソケット20が整列板を用いることなく、収納容器100のソケット挿入部30に直に、かつ安定に固定されている。特に、ソケット挿入部30へのランプソケット20の取付工程は自動化が容易に実現可能である。従って、バックライトアセンブリの組立工程が更に簡単になり、工程時間を更に短縮できる。こうして、液晶表示装置の製造コストを更に節減できる。
【００３４】
以上、本発明の好ましい実施例について詳細に説明した。しかし、本発明の実施形態は上記の実施例には限定されない。当業者であれば、特許請求の範囲で定義された本発明の思想と精神とを離れることなく、上記の実施例を修正し、又は変更できる。従って、それらの修正や変更も本発明の技術的範囲に属すると解されるべきである。
【図面の簡単な説明】
【００３５】
【図１】本発明の一実施例による液晶表示装置の分解斜視図
【図２】図１に示されている収納容器を上面側から見たときの斜視図
【図３】図１に示されているランプソケットの正面図
【図４】図１に示されているランプソケットと、それに結合されるインバータの部分との斜視図
【図５】図２に示されている収納容器を底面側から見たときの斜視図
【図６】図２に示されている収納容器と実質的に同じ収納容器からランプソケットとインバータとを除去したときの斜視図
【図７】図６に示されている部分Ａの拡大斜視図
【図８】図６に示されている収納容器にランプソケットを装着したときの斜視図
【図９】図８に示されている部分Ｂの拡大斜視図
【符号の説明】
【００３６】
100  収納容器
20    ランプソケット
21    ランプ連結部
22    電源接続用の穴
23    切り欠き
30    ソケット挿入部
31    段差部
41a、41b、41c  ネジ固定部
43a    側壁の窓
45    底面
45a    底面の穴
47a    第１側壁の上端
47b    第１側壁
47c    第２側壁
50    インバータ
51    パッド
【図１】
0005561900.tif 000002
【図２】
0005561900.tif 000003
【図３】
0005561900.tif 000004
【図４】
0005561900.tif 000005
【図５】
0005561900.tif 000006
【図６】
0005561900.tif 000007
【図７】
0005561900.tif 000008
【図８】
0005561900.tif 000009
【図９】
0005561900.tif 000010